(57)【要約】      （修正有）【課題】乾燥室内を所定の真空度に保って低温沸騰、減菌、静止乾燥を行い、マットの損傷・劣化が少なく寿命を大幅に伸ばし、かつ省エネタイプのベッド用マット専用乾燥機を提供する。【解決手段】乾燥室内を真空ポンプにより所定の真空度まで下げて、水の沸点を摂氏６０度にする。乾燥室内の温度を摂氏６０度まで上昇させて、所定の真空度に保持しながら本体底部から空気加熱ヒーターで暖められた空気を取り入れ、乾燥室内で発生する飽和水蒸気を真空ポンプにより室外に抜き取りながらベッド用マットを乾燥する。【選択図】図１
2007285690.tif 000002
【特許請求の範囲】
【請求項１】
乾燥機内を極めて高い真空状態に保つ事により、沸点を下げて低温でしかも短時間に病院及びホテル等のベッド用マット類が、常に完全乾燥出来ることを特徴とする乾燥機であること。
【請求項２】
ブロワーモーター（送風機）を使用しないため低騒音で、騒音公害を引き起こす心配がなく、マット類の乾燥を行うことが出来ることを特徴とする乾燥機であること。
【請求項３】
ノンダクト方式なので大量の熱風や綿塵を大気中に放出しないため、地球温暖化防止法並びに大気汚染防止法に貢献出来る乾燥機であること。
【請求項４】
公害を引き起こす心配がないため、設置場所を選ばず、従来の乾燥機（同等の乾燥機）に比べ、非常に狭い場所に設置が可能であることを特徴とする乾燥機であること。
【請求項５】
従来の乾燥機は乾燥を乾燥タイマーで固定するため、外気温度、絞り率、乾燥品の種類等、常に条件が異なるため、乾燥状態が不安定だったが、本発明品は温度管理による乾燥の為、低温で短時間に安定して完全乾燥を行う事が出来る乾燥機であること。
【請求項６】
低温沸騰、減菌、静止乾燥のため、マットの損傷・劣化が大変少なく、マットの寿命を大幅に延長させることが出来、かつ大変省エネタイプの乾燥機であること。
【発明の詳細な説明】
【技術分野】
【０００１】本発明は病院及びホテル等のベッド用マットの乾燥に於ける新規な乾燥方法の提案に係る。
【背景技術】
【０００２】従来乾燥機と言えば、性能が良いと言われる乾燥機ほど大量の熱量と大量の風量を必要としていた。【０００３】そのため運転コストは高く、騒音が激しく、近隣に騒音公害を引き起こしていた。【０００４】また運転の都度、大量の高温熱風と綿塵を大気中に放出するため、地球温暖化防止法並びに大気汚染防止法に逆行する品物でもあった。【０００５】その上広い設置場所を必要とし、設置場所の選定にも苦労していた。【０００６】なおマットの素材が多品種あり、中には乾燥温度の制約があるものもあり、法的にもマット洗浄の義務制度もなかったため、マット専用乾燥機としては、世界的に積極的に開発されていなかったのが現実である。
【発明が解決しようとする課題】
【０００７】本発明は上記の点に鑑み、次の問題点を解決せんとするものである。
▲１▼乾燥工程でマットの持つ特性を失わないため、マットを出来るだけ低温で短時間に完全乾燥出来る乾燥機として完成させること。
▲２▼限りある地球資源を大切にするため、出来るだけ省エネ機器に完成させること。
▲３▼地球温暖化防止法、大気汚染防止法、騒音公害防止法等の全世界的規模の規制に抵触しない乾燥機であること。
【課題を解決するための手段】
【０００８】本発明は上記問題点を一挙に解決せんとするものであり、その特徴とするところは、
【０００９】乾燥機内を真空６００ｍ／ｍＨｇまで下げて、水の沸点を摂氏６０℃にすることにより、水洗いしたマットを６０℃の低温で、短時間に乾燥させることに成功した。
※参考までに機内の真空圧５００ｍ／ｍＨｇの場合の沸点は７０℃となる
【００１０】機内温度が６０℃まで上昇すると、本体底部から過熱ヒーター▲１７▼で暖められた空気を機内の真空度が６００ｍ／ｍＨｇを保持出来る範囲内で取入れ、機内で発生する飽和蒸気を真空ポンプにより、一工程中ずっと機外に抜き取ることで、マットの乾燥を行う。（マットから発生した飽和蒸気が機内に充満していると、マットは乾燥しない）
【００１１】通常乾燥機といえば大型ブロワーモーターを採用するため、大変大きな騒音と大量の熱風と綿塵を大気中に放出するため、騒音公害と地球温暖化防止法及び大気汚染防止法に違反することになるが、本発明品はブロワーモーターは使用せずかつ低温乾燥のため、騒音の発生も少なく、ノンダクト方式のため、大気中に大量の熱風や綿塵を放出しないため、公害防止面でも社会に貢献出来る機械である。
【００１２】従来の乾燥機は乾燥タイマーと温度設定により乾燥を行うため、その日のボイラーの使用状況、外気温度、乾燥品の材質や厚み、絞り率、機内の温度差等、その都度条件が異なるため、安定した完全乾燥は望めなかったが、本発明品は水の沸点を基準に乾燥を行うため、常に安定して完全乾燥、完全殺菌を行う事が出来る乾燥機である。
【００１３】また６０℃という低温乾燥なので、熱源も低圧の蒸気で使用でき、消費量も少ないので、省エネに貢献でき、限りある地球資源の節約に役立つ機械である。
【発明を実施するための最良の形態】
【００１４】作業開始に当って、まず、乾燥機入口蒸気弁▲５▼とバイパス弁▲１３▼と機械底部の空気加熱ヒーター▲１７▼の蒸気弁▲２０▼を開いて、機械全体の暖機を行いながら各部の点検を行う。【００１５】続いて作業開始。まず電源を入れ、コンプレッサーからのエアー元弁（２１）を開き、手動で扉を開き、各段にマットを装着する。装着が完了したら、扉をロックし、操作盤のスタートボタンを押す。前後して蒸気バイパス弁▲１３▼を閉める。【００１６】真空ポンプ▲８▼が起動し、乾燥機内は真空状態になる。機械起動と同時に蒸気入口電磁弁▲６▼も作動してＯＮになる。機内が６００ｍ／ｍＨｇの真空状態になると、機械底部の暖気取入調節弁▲１６▼が開き、機内は真空６００ｍ／ｍＨｇの状態を保ちながら、機内温度は徐々に上昇し、摂氏６０℃の沸点に到達する。沸点に到達するとマット内の水分はどんどん蒸発し、蒸発した飽和蒸気は真空ポンプにより、速やかに機外に放出され、マットは６０℃の低温で短時間に乾燥する。乾燥機内は  マット内の水分がすべて蒸発する迄暫く６０℃温度を維持する。マット内の水分がすべて蒸発すると、機内温度は沸点の６０℃を超え始める。完全乾燥である。機内温度が６５℃に到達すると、蒸気電磁弁▲６▼は自動的に閉じ、真空解除弁▲１５▼が開き、機内は大気圧に戻り、約５分間真空ポンプの運転を継続して、機内のクールダウンを行う。タイムアップ後、真空ポンプは停止して一工程は完了する。【００１７】以後上記の工程の繰り返し作業になるが、一番のポイントは、乾燥中、乾燥室内で発生する飽和蒸気を出来るだけ早急に機外に取り出すことにより、マットの乾燥を早めることにある。
【発明の効果】
【００１８】  本発明は、以上の通り実施するものであり、本発明によれば、次の通り優れた効果が発揮出来るのである。
▲１▼  今までマット専用乾燥機は、世界的に殆ど開発されていなかった。なぜなら法的に洗浄しなければならない義務がない上、洗浄が難しく、その上乾燥に時間がかかり、場所を取り、取扱いが大変やっかいな品物だからである。
例えば夏場でも室内を暖房して、風を送って乾燥させても、完全乾燥までに４〜５日の時間を要し、洗浄不良の場合は乾燥ムラが出来て、製品価値が下がり、この事業に着手する業者も限られていた。しかし、本発明品の出現により、作業はパートの女性でも充分対応でき、能率も上がり、生産コストも大いに下がり、一般のクリーニング業以上の採算ベースに乗れ、ビジネスとして充分成り立つはずである。
▲２▼  本発明品が最も威力を発揮するのは、公害を発生しないところにある。
まず騒音公害を発生しない事、ブロワーモーターを使用しないため、運転音はすこぶる静かである。通常性能が良いと言われる乾燥機ほど大型のブロワーモーターを採用するため、騒音公害を引き起こす事はもちろんのこと、大量の熱風を大気中に放出するため、地球温暖化防止法に触れ、かつ綿塵を大気中に放出するので、大気汚染防止法にも逆行する。その点、本発明品はノンダクト方式なので、この面でも安心である。
▲３▼  真空低温沸騰、静止乾燥、殺菌乾燥なので、比較的低圧蒸気で使用でき、その上短時間で乾燥出来るので、マットの劣化も少なく、マットの寿命を大幅に延長させ、熱エネルギーの消費も少なく、限りある地球資源の節約にも貢献出来る。
【発明を実施するための最良の形態】
【厚生労働省の発令】
厚生労働省より「病院等のベッド用マットは、最低一年に一回以上洗濯しなければならない」という省令が発令された由ですが、現在クリーニング業界には、マット専用の乾燥機として満足できる機械は出現していない。
その点、本発明品は環境に優しく、静止殺菌乾燥で、しかも低温でスピード乾燥でき、マットの損傷も少なく、高寿命で設置場所を選ばず、省資源・省エネタイプで、マット類専用乾燥機としては理想の乾燥機として完成した。
ちなみに本発明乾燥機の一回の乾燥時間はマット５枚を、平均５０〜６０分で完全乾燥でき、蒸気消費量は４５〜５０ｋｇ／Ｈｒと大変省エネタイプの機械である。
【実施例】工場内での連続テストで予想を遥かに上回る乾燥能力を発揮しており、既に数社から工場内テスト見学を終え、予約注文を頂いており、大いに期待されている。
【産業上の利用の可能性】
マットの洗浄は従来、法的に制約がなく、そのためマット専用の洗濯脱水機も、乾燥機もほとんど開発されていないのが現状である。特にマットの乾燥は乾燥室での自然乾燥が主流で、広い場所を必要とし、乾燥に時間がかかって採算が難しく、専門業者は殆どいない状態だったが、今後法的に年一回以上マットは洗浄しなければならなくなった今、高性能なマット専用乾燥機の出現が望まれており、今後世界的に需要が高まる事が予測でき、本発明品の大いなる活躍の場が拓けるものと期待出来る。
【図面の簡単な説明】
【図１】本発明で使用するマット専用乾燥機を模式的に示す正面図である。
【図２】同側面図である。
【符号の説明】
▲１▼  扉
▲２▼  操作盤
▲３▼  乾燥ヒーター
▲４▼  乾燥室
▲５▼  蒸気管元バルブ
▲６▼  蒸気電磁弁
▲７▼  ドレントラップ
▲８▼  真空ポンプ
▲９▼  真空管逆止弁
▲１０▼  蒸気圧力計
▲１１▼  乾燥室真空計
▲１２▼  乾燥室温度計
▲１３▼  暖機用手動バイパス弁
▲１４▼  扉開閉シリンダー
▲１５▼  真空解除電磁弁
▲１６▼  空気取入調節弁
▲１７▼  空気加熱ヒーター
▲１８▼  マット受け台
▲１９▼  扉蝶番
▲２０▼  過熱ヒーター入口蒸気弁
▲２１▼  エアー元弁
【図１】
2007285690.tif 000003
【図２】
2007285690.tif 000004